(57)【要約】【課題】乾燥効率を上げ、使い勝手の向上を図った厨芥処理機とする。【解決手段】厨芥ごみを乾燥処理する厨芥収納容器４と、この厨芥収納容器４内の厨芥ごみを加熱する加熱手段１２と、厨芥収納容器４内に送風する送風手段１３と、厨芥収納容器４内の厨芥ごみを撹拌する回転撹拌刃６と、厨芥収納容器４の上部に開閉自在に設けた本体蓋２とを備えてなる厨芥処理機において、前記厨芥収納容器４の内面を底面から側部にかけて盛上げた１箇所以上の凸条部５を設け、さらに前記回転撹拌刃６の先端を凸条部５に対向して上部に立ち上げた形状にした厨芥処理機。【選択図】　図１
2004024934.tif 000002
【特許請求の範囲】
【請求項１】
厨芥ごみを乾燥処理する厨芥収納容器（４）と、この厨芥収納容器（４）内の厨芥ごみを加熱する加熱手段（１２）と、厨芥収納容器（４）内に送風する送風手段（１３）と、厨芥収納容器（４）内の厨芥ごみを撹拌する回転撹拌刃（６）と、厨芥収納容器（４）の上部に開閉自在に設けた本体蓋（２）とを備えてなる厨芥処理機において、前記厨芥収納容器（４）の内面を底面から側面部にかけて盛上げた１箇所以上の凸条部（５）を設け、さらに前記回転撹拌刃（６）の先端を凸条部（５）に対向して上部に立ち上げた形状にしたことを特徴とする厨芥処理機。
【請求項２】
厨芥収納容器（４）に持ち手（３０）を設け、この持ち手（３０）に直交する軸に対して４５度以下の幅で複数個の凸条部（５）を設けたことを特徴とする請求項１記載の厨芥処理機。
【発明の詳細な説明】
【０００１】
【発明の属する技術分野】
本発明は、一般家庭や食堂、料理屋、ファーストフード店等から出る厨芥ごみ、特に臭いを伴う生ごみ、残飯等を乾燥して減容処理する厨芥処理機の改良に関するものである。
【０００２】
【従来の技術】
従来の、この種の厨芥ごみを乾燥する方式として特許第３０９７６３９号公報に示すものがある。
【０００３】
この従来例を図５に基づいて説明する。
【０００４】
前記従来例に示す厨芥処理機は、厨芥ごみを収納、処理をする厨芥収納容器４１と、厨芥ごみを加熱する加熱手段４８と、厨芥収納容器４１内の厨芥ごみを撹拌する撹拌手段４３と、厨芥収納容器４１上方より熱せられた空気を厨芥ごみに吹き付ける撹拌ファン４９を備え、前記撹拌手段４３を厨芥収納容器４１の内壁に設けた突出部４２と、厨芥収納容器４１内を回転する回転撹拌刃４３で構成していた。
【０００５】
この構成により、撹拌手段４３で厨芥ごみの乾燥むらを防止し、撹拌ファン４９で熱風を厨芥ごみに当てることで乾燥を促進させ、乾燥効率を高めるものであり、突出部４２と回転撹拌刃４３とで乾燥が進行し、固くなった厨芥ごみを粉砕することにより乾燥を一層促進していた。しかし、この構成の場合、次のような問題があった。
【０００６】
【発明が解決しようとする課題】
前記従来例における乾燥の効率は、突出部と回転撹拌刃の数が多いほうが優れているが、厨芥収納容器内に突出部の数を増やすと、突出部は別ピースを取り付けているためコスト高となる問題がある。
【０００７】
また、突出部と回転撹拌刃で厨芥ごみを粉砕するため、突出部周囲に厨芥ごみの残骸が付着することにより、厨芥収納容器内の乾燥処理後のごみを廃棄するときに、廃棄しにくいといった使い勝手上の問題もあった。
【０００８】
さらには、乾燥し固まった厨芥ごみを突出部と回転撹拌刃で粉砕するため、この部位に加わる荷重が大きくなるため、機構、構造上それに耐え得るものとする必要があり、突出部に付着するごみが突出部や厨芥収納容器に与える劣化の影響も構造上配慮する必要があり、信頼性、コスト面での問題もあった。
【０００９】
【課題を解決するための手段】
上記課題を解決するために本発明は、厨芥ごみを乾燥処理する厨芥収納容器と、この厨芥収納容器内の厨芥ごみを加熱する加熱手段と、厨芥収納容器内に送風する送風手段と、厨芥収納容器内の厨芥ごみを撹拌する回転撹拌刃と、厨芥収納容器の上部に開閉自在に設けた本体蓋とを備えてなる厨芥処理機において、前記厨芥収納容器の内面を底面から側面部にかけて盛上げた１箇所以上の凸条部を設け、さらに前記回転撹拌刃の先端を凸条部に対向して上部に立ち上げた形状にした厨芥処理機としたものである。
【００１０】
このような形状としたことにより、複数箇所の固まった厨芥ごみを磨り潰し、細かく粉砕し、乾燥効率を上げるものである。
【００１１】
あるいは、厨芥収納容器に持ち手を設け、この持ち手に直交する軸に対して４５度以下の幅で複数個の凸条部を設けたものである。
【００１２】
本発明は、厨芥収納容器内に厨芥ごみを投入し、その中に加熱空気を送風して厨芥ごみを加熱し、発生した臭気を含む水蒸気を厨芥収納容器内の空気と共に少量ずつ一定量の排気を脱臭装置を通して本体外部に導く風路を形成している。
【００１３】
また、乾燥処理やごみの廃棄時に凸条部に厨芥ごみが付着することがなく、使い勝手も改良できる。さらに凸条部の構造も厨芥収納容器と一体化のため取り付け部の信頼性、ならびにコスト面でも改良することができるものである。
【００１４】
さらに、厨芥収納容器に持ち手を設け、この持ち手に直交する軸に対して４５度以下の幅で凸条部を設けることで、ごみを廃棄するときに、厨芥収納容器の持ち手を持ち、凸条部をガイドに厨芥収納容器内のごみを廃棄することができ、廃棄時に廃棄場所からこぼしたりすることなく簡便に廃棄することができるものである。
【００１５】
【実施例】
以下本発明の一実施例を図面に基づいて詳細に説明する。図１は本発明の一実施例を示す厨芥処理機の側面断面図である。図２は同じく循環送風ダクトの下方からの斜視図である。図３は同じく厨芥収納容器の上面図であり、図４は本発明の別の実施例を示す厨芥収納容器の上面図である。
【００１６】
図において、１は厨芥処理機の本体ケース、２はこの本体ケース１の上部に開閉自在に取り付けられた本体蓋で、後部を蓋ヒンジ２ａにより枢支されている。
【００１７】
３は本体ケース１内に取り付けられた外側固定容器である。４は厨芥収納容器で、外側固定容器３の内部に着脱自在に設置されている。
【００１８】
５は凸条部で、この厨芥収納容器４の内面に下部底面から側面部まで突条に盛上げた構成になっている。６は回転撹拌刃で、厨芥収納容器４内の下部に設置されており、回転撹拌刃６の先端は厨芥収納容器４内の凸条部５と対向して上方に曲げられ、立ち上がっており、適度な間隔を設けてある。また、回転撹拌刃６は厨芥収納容器４内の厨芥を撹拌するほかに、凸条部５と連携して厨芥ごみを磨り潰し、破砕し細かくするものである。
【００１９】
凸条部５は、本実施例では側面部の中央よりやや上部まで盛上げてあり、また一箇所のみ設けてあるが、乾燥するための熱風を効率よくするため厨芥収納容器４の側面部の最上部まで突条に盛上げても良いし、さらに凸条部５を複数箇所設けても良い。
【００２０】
また、請求項２では図４に示すように、厨芥収納容器４の上部に乾燥処理後のごみを捨てやすくするために、持ち手３０を設けてあり、持ち手３０に対して直交する方向に対して複数個の凸条部５を設け、凸条部５の間隔を持ち手３０の直交する軸に対して４５度以内の角度に設けたものである。あるいは、この２箇所の対称位置にもう２箇所設けても良い。
【００２１】
７は被駆動回転軸で、厨芥収納容器４の底部に設けられて、その先端が回転撹拌刃６と連結部を介して連結しており、厨芥収納容器４の取り外しの際に容器ごと取り外されるものである。
【００２２】
８は回転駆動軸で、外側固定容器３の底部に取り付けられており、被駆動回転軸７と着脱自在に連結して被駆動回転軸７に回転力を伝えるものである。９は電動モーターで、回転駆動軸８を回転させるための回転力を発生するものである。１０は減速機構で、電動モーター９の回転力を減速して回転駆動軸８に伝達するものである。
【００２３】
１１は内蓋で、本体蓋２内の下面に位置し、厨芥収納容器４及び外側固定容器３の上部開口部を覆うように設けられている。１２は加熱手段で、電熱ヒーターよりなり、厨芥収納容器４の上方において、内蓋１１の内側天井部に取り外し自在に取り付けられている。
【００２４】
１３は送風手段で、シロッコファン１３ａと、このシロッコファン１３ａを駆動するファンモーター１３ｂとで構成され、厨芥収納容器４と加熱手段１２の上方を避けて本体蓋２内に設置されており、加熱手段１２で加熱された空気を厨芥収納容器４内に送風するものである。
【００２５】
１４は内蓋１１に開口加工された送風口、１５はこの送風口１４とは別に内蓋１１に開口加工された循環口である。
【００２６】
１６は本体蓋２の内部空間部に設置された循環送風ダクトで、一側に前記送風手段１３を設置し、反対側を送風口１４及び循環口１５を通して厨芥収納容器４に連通させている。１６ａは遮熱板で、加熱手段１２と対向した循環送風ダクト１６の内側面に取り付けられている。
【００２７】
１６ｂはダクトの仕切り板で、送風手段１３と加熱手段１２によって加熱された熱風を送風口１４を通して厨芥収納容器４に送風する循環風路１６ｃと、厨芥収納容器４内の厨芥ごみを加熱乾燥させた後の空気を循環口１５から送風手段１３に戻す循環風路１６ｅを分離遮断する役目をする。１６ｄは外気を循環送風ダクト１６内に取り入れる通風口で、循環送風ダクト１６に設けたファンモーター１３ｂの軸貫通穴を大きく開口させて形成している。
【００２８】
１７は略皿状のヒーターカバーで、内蓋１１に取り付けられ加熱手段１２をその下面からカバーするものであり、内蓋１１の下面に同じく取り外し自在に取り付けられている。１７ａはヒーターカバー１７の周側壁に開設されたヒーターカバー開口で、送風口１４から厨芥収納容器４内に送風される空気を厨芥収納容器４の側壁面に当たるようにしている。また、１７ｂも同じくヒーターカバー開口で循環口１５側に設けられている。
【００２９】
１８はヒーターカバー１７内にあって送風口１４と循環口１５とを仕切る仕切り部で、送風口１４から厨芥収納容器４内に送風される空気と循環口１５から送風手段１３に戻る空気を分離させるためのものである。
【００３０】
１９は臭気流出口で、循環口１５より外側の内蓋１１に設けられている。２０は触媒脱臭器で、本体ケース１と外側固定容器３との間に設置されており、臭気流出口１９から流出する臭気を受け入れて脱臭するものである。
【００３１】
２１は臭気流出口１９と触媒脱臭器２０を連結する連結パイプである。なお、図示していないが、この連結パイプ２１には接続と離脱が自在なジョイント部が形成されていて、本体蓋２の開閉時にその離脱と接続が行なわれるようになっている。
【００３２】
２２は本体ケース１の後部に設置された冷却ファンで、その吸入側に吸引口２４が設けられており、この吸引口２４に触媒脱臭器２０で脱臭された排気を吸出するための第１風路２２ａと、外側固定容器３の外側で本体ケース１内の制御基板上に組み込まれた電子部品（図示せず）を冷却したのちの排気を吸出するための第２風路２２ｂが連なっている。
【００３３】
２３はこの冷却ファン２２を駆動するための排気モーターであり、２５は排気パイプで、触媒脱臭器２０の排気出口と、第１風路２２ａとを連結するものである。２６は本体ケース１内の部品の冷却をした後の空気が、第２風路２２ｂを通って冷却ファン２２に導かれる空気と、第１風路２２ａを通って冷却ファン２２に導かれる脱臭後の空気の両者を、本体ケース１の外へ流出させるための排気口である。
【００３４】
２７は容器センサーで、外側固定容器３の下部側面に取り付けられ、その感熱部は厨芥収納容器４の側面に密着され、内部の温度を検出するものである。
【００３５】
２８は温度センサーで、遮熱板１６ａが取り付けられた循環送風ダクト１６の内面に取り付けられ、その感熱部は循環送風ダクト１６内に臨んでいる。
【００３６】
２９は樹脂性の後部本体ケースで、冷却ファン２２部と対面した本体ケース１の後部開口部を覆うものであり、下部側面に前記排気口２６が設けられている。
【００３７】
３１はファンケーシングで、冷却ファン２２の外周と所定の距離を保ち、この冷却ファン２２を覆うように後部本体ケース２９の内側面に一体に形成されているものである。
【００３８】
本実施例は上記の構成よりなり、次にその動作について説明する。
【００３９】
厨芥ごみが厨芥収納容器４内に投入されて乾燥運転が開始されると、まず、電熱ヒーターよりなる加熱手段１２に通電され、回転撹拌刃６の駆動用の電動モーター９があらかじめ定められた時間だけ正転、逆転を繰り返し、回転撹拌刃６を回転させる。
【００４０】
その後、あらかじめ定められた時間が経過すると、送風手段１３のシロッコファン１３ａを駆動するファンモーター１３ｂ及び冷却ファン２２を駆動する排気モーター２３が動作し、矢印のように厨芥収納容器４内に熱風を循環させる。
【００４１】
送風手段１３で送風された空気の流れを説明すると、循環送風ダクト１６の循環風路１６ｃを通った風は送風口１４の近傍に設置された加熱手段１２によって暖められた後、ヒーターカバー開口１７ａを通って厨芥収納容器４の壁面に吹き付けられる。
【００４２】
さらに、厨芥収納容器４の壁面に沿って厨芥ごみに当てられ、厨芥ごみを乾燥させながらヒーターカバー開口１７ｂを通り、循環風路１６ｅから送風手段１３の構成部品であるシロッコファン１３ａに戻るという流れで循環する。
【００４３】
この循環風は、温度センサー２８の検出する雰囲気温度が１１０℃〜１４０℃に維持されるように加熱手段１２に電力を供給しながら回転撹拌刃６を適宜作動させると、投入された厨芥ごみは撹拌され、かつ厨芥収納容器４の内壁に一体に形成された凸条部５とによって破砕されながら蒸気を発生し、乾燥が進行する。
【００４４】
一方、冷却ファン２２の作動によって、本体ケース１内の基板上に組み込まれた部品（図示せず）を冷却した空気は第２風路２２ｂから排気口２６に導かれ、本体ケース１の外部に排出される。
【００４５】
これと同時に、冷却ファン２２が動作することによって第１風路２２ａ内は大気圧に対して低圧となり、厨芥収納容器４内の臭気を含んだ雰囲気が臭気流出口１９を通して吸引され、触媒脱臭器２０を通過して脱臭された後、排気パイプ２５、第１風路２２ａを通して冷却ファン２２内に吸出され、排気口２６から冷却風と混ぜ合わされて本体ケース１の外部に排出される。
【００４６】
この吸引・排気によって循環送風ダクト１６内は大気に対して低圧となるため、循環送風ダクト１６に設けられた通風口１６ｄを通して外気が循環送風ダクト１６内に取り入れられる。
【００４７】
この状態で厨芥ごみの乾燥が進行していくと、厨芥収納容器４の外部壁面部の温度も上昇し、さらに厨芥ごみの乾燥が終了する温度に達すると、その温度を外側固定容器３に取り付けられた容器センサー２７が検出し、電源をＯＦＦして運転動作を終了する。
【００４８】
乾燥処理が進行していくと、乾燥により固まりができ、固まりのままだと固まりの中に熱が伝わりにくく、中からの水分放散がされにくいといったことになるため、凸条部５と回転撹拌刃６により磨り潰し、破砕することで、乾燥の効率を向上させる。また複数の凸条部５を構成することでさらに効果を上げることができるものである。
【００４９】
厨芥収納容器４の上面まで凸条部５を設けることで、乾燥熱風の吹き出しからごみに効率よく送風され、回転撹拌刃６の回転で撹拌する場合上下のごみの混ざりも向上し、さらに凸条部５に処理ごみなどが引っかかったりして付着しなくなるものである。
【００５０】
また、厨芥収納容器４内で処理したごみを廃棄場所に廃棄する場合も、凸条部５にごみが引っかかり付着することもなく、固まりが回転撹拌刃６と凸条部５に引っかかり各部位に荷重がかかることもなくなり、構造状の欠点も改良できる。さらに、厨芥収納容器４の持ち手３０を持ち、廃棄する場合も凸条部５がごみのガイドとなり厨芥収納容器４からスムーズにごみを廃棄できる。
【００５１】
なお、本実施例では加熱手段１２を電熱ヒーターの例で説明したが、電磁誘導加熱であっても同等の効果が得られるのは言うまでもない。
【００５２】
【発明の効果】
以上説明したように、厨芥ごみを乾燥処理する厨芥収納容器と、この厨芥収納容器内の厨芥ごみを加熱する加熱手段と送風手段と、厨芥収納容器内の厨芥ごみを撹拌する回転撹拌刃と、厨芥収納容器の上部に開閉自在の本体蓋とを備え、厨芥収納容器の内面を底面から側面部にかけて盛上げた突状の凸条部を設けるとともに、前記回転撹拌刃の先端を前記凸条部に対向した形状にしたことで、固まった厨芥ごみを磨り潰し、細かくし、乾燥効率を上げることができるものである。
【００５３】
また、乾燥処理やごみの廃棄時に凸条部に厨芥ごみが付着することがなく、使い勝手も改良できるものである。さらに凸条部の構造も厨芥収納容器と一体に形成されているため取り付け部の信頼性、ならびにコスト面でも改良することができるものである。
【００５４】
さらに、厨芥収納容器に持ち手を設け、持ち手に直交する軸に対して４５度以下の幅で凸条部を設けることで、ごみを廃棄するときに、厨芥収納容器の持ち手を持ち、凸条部をガイドに厨芥収納容器内のごみを廃棄することができ、廃棄時に廃棄場所からこぼしたりすることなく、簡便に廃棄ができるようになるものである。
【図面の簡単な説明】
【図１】本発明の一実施例を示す厨芥処理機の側面断面図である。
【図２】同じく循環送風ダクトの下方からの斜視図である。
【図３】同じく厨芥収納容器の上面図である。
【図４】別の実施例を示す厨芥収納容器の上面図である。
【図５】従来例を示す側面断面図である。
【符号の説明】
２：本体蓋、４：厨芥収納容器、５：凸条部、６：回転撹拌刃、１２：加熱手段、１３：送風手段、１６：循環送風ダクト、３０：持ち手。
【図１】
2004024934.tif 000003
【図２】
2004024934.tif 000004
【図３】
2004024934.tif 000005
【図４】
2004024934.tif 000006
【図５】
2004024934.tif 000007